(57)【要約】【課題】２枚構造を有する配線基板ユニット１００がシールドボックス２００に誤挿入されることを確実に防止すること。【解決手段】配線基板ユニットの装着構造は、配線基板ユニット１００及びシールドボックス２００を備えている。配線基板ユニット１００は、相互に間隔をおいて対向する一対の配線基板１０２及び１０４を備え、配線基板１０２の幅は、配線基板１０４の幅よりも広い。静止枠体２００は、一対の支持壁２０２及び２０４と、それらの前端間を延在する前壁２０６とを備え、前壁２０６には挿入開口２１６が形成されている。支持壁２０２及び２０４には、配線基板ユニット１００が挿入開口２１６から誤挿入されたとき、配線基板１０２の移動を阻止して配線基板ユニット１００の挿入を防止する膨出部２４０が配設されている。【選択図】  図１１
2005158847.tif 000002
【特許請求の範囲】
【請求項１】
配線基板ユニットと、配線基板ユニットが離脱自在に装着される静止枠体とを備えた配線基板ユニットの装着構造において、
配線基板ユニットは、相互に間隔をおいて対向する一対の配線基板を備え、片方の配線基板の幅は、他方の配線基板の幅よりも広く形成され、
静止枠体は、相互に間隔をおいて前後方向に平行に延在する一対の支持壁と、支持壁の各々の前端間を延在する前壁とを備え、前壁には配線基板ユニットの挿入開口が形成され、
支持壁の各々間には、配線基板ユニットが該挿入開口から誤挿入されたとき、該片方の配線基板の移動を阻止して配線基板ユニットの挿入を防止する誤挿入防止手段が配設されている、
ことを特徴とする配線基板ユニットの装着構造。
【請求項２】
支持壁の各々の間隔は、配線基板ユニットの該片方の配線基板の幅よりも大きく設定され、支持壁の各々には、配線基板ユニットが、該挿入口から正しく挿入されたとき、該片方の配線基板の両側部をそれぞれ受け入れて、配線基板ユニットが手前から後方に所定の装着位置まで移動できるよう、引き出し自在にガイドするガイド手段が配設され、
誤挿入防止手段は、配線基板ユニットが、該他方の配線基板の両側部がガイド手段側に位置付けられて、該挿入開口から誤挿入されたとき、該片方の配線基板の移動を阻止する、請求項１記載の配線基板ユニットの装着構造。
【請求項３】
誤挿入防止手段は、配線基板ユニットが該挿入開口から誤挿入されたときの、該片方の配線基板の両側部の移動軌跡に対応する、支持壁の各々間の間隔であって、前壁の近傍位置における支持壁の各々間の間隔を、該他方の配線基板の幅よりは広いが該片方の配線基板の幅よりは狭く設定することにより構成される、請求項２記載の配線基板ユニットの装着構造。
【請求項４】
誤挿入防止手段を構成する支持壁の各々間の該間隔は、該片方の支持壁に内側に突出するよう形成された膨出部の内側面と他方の支持壁の内側面との間の間隔、又は両方の支持壁に内側に突出するよう形成された膨出部の内側面の各々間の間隔、により規定される、請求項３記載の配線基板ユニットの装着構造。
【請求項５】
静止枠体は金属板から形成され、支持壁の各々は実質的に平板形状をなし、該片方の支持壁の該膨出部、又は該両方の支持壁の該膨出部は、それぞれ内側に膨らむよう形成された絞り部からなる、請求項４記載の配線基板ユニットの装着構造。
【請求項６】
静止枠体は金属板から形成され、支持壁の各々は実質的に平板形状をなし、支持壁の各々に配設されたガイド手段は、支持壁の各々における幅方向に一定の隙間をおいて内側に突出しかつ前後方向にほぼアーチ状に延在する一対の打出し部が、それぞれ前後方向に間隔をおいて複数対、直線状に配列されることにより構成され、打出し部の各対における該隙間は、該片方の配線基板の厚さよりも大きく設定されている、請求項２〜５のいずれか１項に記載の配線基板ユニットの装着構造。
【発明の詳細な説明】
【技術分野】
【０００１】
本発明は、静電複写機、レーザプリンタ、ファクシミリなどの複合機である画像形成装置に適用することができる配線基板ユニットの装着構造に関する。
【背景技術】
【０００２】
複写機にプリンタの機能を併せ持たせたデジタル式の複合機である画像形成装置、あるいは、複写機にファクシミリ（以下、単にＦＡＸと略称する）の機能を併せ持たせたデジタル式の複合機である画像形成装置は、すでに開発され、実用化されている。このうち、複写機にＦＡＸの機能を併せ持たせたデジタル式の複合機である画像形成装置であって、いわゆる胴内排紙型と称されている画像形成装置も、すでに公知である（例えば、特許文献１参照）。
【０００３】
上記胴内排紙型の画像形成装置における装置下部には作像手段が内蔵され、装置上部には画像読取手段が内蔵されている。装置下部と装置上部との間に排紙空間が配設され、排紙空間には排紙トレイが配設されている。装置下部における作像手段の下方には給紙手段が配設されている。装置上部における、画像読取手段の上方にはコンタクトガラスとＡＤＦが配設されている。ＡＤＦは、コンタクトガラスの上方を開閉可能に配設されている。この画像形成装置が複写機として使用される場合には、ＡＤＦが利用されるか又はコンタクトガラスが直接利用されることによって周知のとおりに複写が行われる。また、ＦＡＸとして使用される場合には、ＡＤＦにより搬送された原稿又はコンタクトガラス上に戴置された原稿の画像を画像読取手段で読み取り、読み取った画像を外部に送信する。受信した画像情報は、作像手段によって、給紙手段により給紙された用紙に転写され、更に定着後、排紙トレイに排出される。
【０００４】
このように、複写機にＦＡＸの機能を併せ持たせるためには、画像形成装置本体に、モデムに相当する機能を有するＦＡＸ用の配線基板ユニットをあらかじめ装着しておく必要がある。また、オプションとしてＦＡＸ用の配線基板ユニットを装着できるタイプの画像形成装置においては、必要に応じてＦＡＸ用の配線基板ユニットが画像形成装置本体に装着される。
【０００５】
一般的に、上記形態の画像形成装置本体には、制御系を含む各種の配線基板類を収容して電磁波などのノイズから保護するための金属製の静止枠体であるシールドボックスが配設されており、上記配線基板ユニットも、このようなシールドボックスに挿入することにより装着される。上記配線基板ユニットとしては、一対の配線基板が相互に間隔をおいて対向するよう配置された２枚構造のものが存在するが、２枚構造のものは１枚構造に較べて全体の構成をコンパクト化できるので、スペース的に有利である。使用者あるいはサービスマンが、画像形成装置の機能拡大あるいは交換時などにおいて、シールドボックスに上記配線基板ユニットを挿入する場合、装着位置に正しく装着されるよう挿入する必要があるが、上記２枚構造のものは、２枚の配線基板の位置が逆にされて挿入される、誤挿入のおそれがある。上記配線基板ユニットがシールドボックスに誤挿入されたことに気付かずに電源を投入すると、上記配線基板ユニットに配設されたコネクタ及びシールドボックス内に配設されたコネクタの連結部の故障、画像形成装置本体の電気回路系の故障などが発生するおそれがある。このような問題は、ＦＡＸ用の配線基板ユニットに限らず、他の電子機器用の配線基板ユニットにおいても共通して存在するものである。
【特許文献１】特開平８−３３９１０５号公報
【発明の開示】
【発明が解決しようとする課題】
【０００６】
本発明の目的は、２枚構造を有する配線基板ユニットがシールドボックスなどの静止枠体に誤挿入されることを確実に防止する、新規な配線基板ユニットの装着構造を提供することである。
【課題を解決するための手段】
【０００７】
本発明によれば、配線基板ユニットと、配線基板ユニットが離脱自在に装着される静止枠体とを備えた配線基板ユニットの装着構造において、
配線基板ユニットは、相互に間隔をおいて対向する一対の配線基板を備え、片方の配線基板の幅は、他方の配線基板の幅よりも広く形成され、
静止枠体は、相互に間隔をおいて前後方向に平行に延在する一対の支持壁と、支持壁の各々の前端間を延在する前壁とを備え、前壁には配線基板ユニットの挿入開口が形成され、
支持壁の各々間には、配線基板ユニットが該挿入開口から誤挿入されたとき、該片方の配線基板の移動を阻止して配線基板ユニットの挿入を防止する誤挿入防止手段が配設されている、
ことを特徴とする配線基板ユニットの装着構造、が提供される。
支持壁の各々の間隔は、配線基板ユニットの該片方の配線基板の幅よりも大きく設定され、支持壁の各々には、配線基板ユニットが、該挿入口から正しく挿入されたとき、該片方の配線基板の両側部をそれぞれ受け入れて、配線基板ユニットが手前から後方に所定の装着位置まで移動できるよう、引き出し自在にガイドするガイド手段が配設され、誤挿入防止手段は、配線基板ユニットが、該他方の配線基板の両側部がガイド手段側に位置付けられて、該挿入開口から誤挿入されたとき、該片方の配線基板の移動を阻止する、ことが好ましい。
誤挿入防止手段は、配線基板ユニットが該挿入開口から誤挿入されたときの、該片方の配線基板の両側部の移動軌跡に対応する、支持壁の各々間の間隔であって、前壁の近傍位置における支持壁の各々間の間隔を、該他方の配線基板の幅よりは広いが該片方の配線基板の幅よりは狭く設定することにより構成される、ことが好ましい。
誤挿入防止手段を構成する支持壁の各々間の該間隔は、該片方の支持壁に内側に突出するよう形成された膨出部の内側面と他方の支持壁の内側面との間の間隔、又は両方の支持壁に内側に突出するよう形成された膨出部の内側面の各々間の間隔、により規定される、ことが好ましい。
静止枠体は金属板から形成され、支持壁の各々は実質的に平板形状をなし、該片方の支持壁の該膨出部、又は該両方の支持壁の該膨出部は、それぞれ内側に膨らむよう形成された絞り部からなる、ことが好ましい。
静止枠体は金属板から形成され、支持壁の各々は実質的に平板形状をなし、支持壁の各々に配設されたガイド手段は、支持壁の各々における幅方向に一定の隙間をおいて内側に突出しかつ前後方向にほぼアーチ状に延在する一対の打出し部が、それぞれ前後方向に間隔をおいて複数対、直線状に配列されることにより構成され、打出し部の各対における該隙間は、該片方の配線基板の厚さよりも大きく設定されている、ことが好ましい。
【発明を実施するための最良の形態】
【０００８】
以下、本発明に従って構成された配線基板ユニットの装着構造の好適な実施の形態について添付図面を参照して詳細に説明する。なお、図１〜図１１において、実質的に同一部分は同一符号で示してある。
【０００９】
図１を参照して、画像形成装置２は、装置本体下部４Ｌと装置本体上部４Ｕとを含む装置本体４を備えている。装置本体下部４Ｌと装置本体上部４Ｕとの間には排紙空間Ｓが配設され、排紙空間Ｓ内には排紙トレイ６が配設されている。装置本体下部４Ｌの上面であって排紙トレイ６の手前側には操作パネル８が配設されている。装置本体下部４Ｌには、給紙カセット、用紙の搬送路、各種搬送ローラ、作像手段など（いずれも図示せず）が配設されている。各種搬送ローラは、ピックアップローラ、給紙ローラ、レジストローラなどを含んでいる。作像手段は、感光体ドラム、感光体ドラムの周囲に配設された主帯電器、レーザスキャニングユニット、現像装置、転写ローラ、クリーニング装置などの作像エレメント、搬送路に配設された定着装置などを含んでいる。装置本体上部４Ｕ内には、図示しない原稿露光及び画像読取手段が配設されている。原稿露光及び画像読取手段は、装置本体上部４Ｕの上面に配設された図示しないコンタクトガラス上に戴置した原稿の読取走査を行うための光源、ミラー、レンズなどの各種構成要素、及びこれらを駆動する装置などを備えている。このようないわゆるスキャナの上方には図示しない自動原稿搬送装置（ＡＤＦ）が装着される場合もある。図示の画像形成装置２は、複写機能だけではなく、プリンタ機能及びＦＡＸ機能をも備えた、いわゆる複合機として構成されている。画像形成装置２の上記構成は公知の構成を利用することでよく、またそれ自体は本発明の特徴をなすものではないので、更なる説明は省略する。
【００１０】
図１〜図３を参照して、装置本体下部４Ｌの内側は、適宜の合成樹脂から一体成形された装置本体下部枠体１０（図３参照）から構成され、装置本体下部枠体１０の後部（画像形成装置２を正面から見て後部）には、金属板からなる後部枠板１２（図３参照）が直立状態で図示しないビスなどの固着手段によって離脱自在に固着されている。後部枠板１２の後面であって、画像形成装置２を正面から見て右側領域には、後述するＦＡＸ用の配線基板ユニット１００が離脱自在に装着される静止枠体であるシールドボックス２００が図示しないビスなどの固着手段によって離脱自在に固着されている。画像形成装置２を正面から見て、装置本体下部枠体１０の右側には、画像形成装置２の右側のカバーを兼用する右側壁１６が直立して離脱自在に固着され、後部枠板１２及びシールドボックス２００の後側には、画像形成装置２の後側のカバーを兼用する後壁１８が直立して離脱自在に固着されている。図２に示すように、右側壁１６の後端部には矩形状の切欠き１６ａが形成され、シールドボックス２００の前壁２０６（後述）が、右側壁１６の切欠き１６ａから画像形成装置２の右側に露呈されている。
【００１１】
図９〜図１１を参照して、ＦＡＸ用の配線基板ユニット１００は、相互に間隔をおいて対向する一対の配線基板１０２及び１０４を備えている。したがって、配線基板ユニット１００は、２枚の配線基板（１０２及び１０４）を備えた２枚構造を有するといえる。配線基板１０２及び１０４は、それぞれ、実質的に矩形平板状であり、かつ縦方向長さが幅よりも若干長く形成されている。片方の配線基板１０２の幅１０２Ｌは、他方の配線基板１０４の幅１０４Ｌよりも広く形成されている。片方の配線基板１０２の長手方向長さは他方の配線基板１０４の長手方向長さよりも長く形成されている。図９から容易に理解されるように、配線基板１０２及び１０４は、配線基板１０２が下に、配線基板１０４が上に位置付けられて相互に鉛直方向に等間隔をおいて水平に延在するよう配置された状態において、各々の長手方向の一端（図９において左端）が共通の仮想鉛直面上に位置付けられるとともに、平面から見て、配線基板１０４の長手方向に延在する仮想中心線（配線基板１０４の幅方向の中心を通って長手方向に延在する仮想中心線）が、配線基板１０２の長手方向に延在する仮想中心線（配線基板１０２の幅方向の中心を通って長手方向に延在する仮想中心線）と一致するよう位置付けられ、配線基板１０２及び１０４間に配置された複数の（実施形態においては３個の）連結部材１０６を介して連結される。平面から見て、配線基板１０４の幅方向の片側と、配線基板１０２の幅方向の片側との間の幅方向長さＬ１と、配線基板１０４の幅方向の他側と、配線基板１０２の幅方向の他側との間の幅方向長さＬ２とは、相互に等しい。すなわち、Ｌ１＝Ｌ２＝１／２（１０２Ｌ−１０４Ｌ）である。
【００１２】
それぞれ金属板からチャンネル形状に形成された連結部材１０６は、配線基板１０４の長手方向の上記一端を含む一端部における両方の角部の内側と、対応する配線基板１０２の長手方向の上記一端を含む一端部における両側部の内側との間、及び、配線基板１０４の長手方向の他端部における片方の角部の内側と、対応する配線基板１０２の長手方向の他端部における一側部の内側との間において、相互に対向する側壁がそれぞれ配線基板１０２及び１０４の対向面に当接されるよう配置され、ビス１０８などの固着手段により固着されている。配線基板１０２及び１０４における長手方向の上記一端部側に配置された連結部材１０６の底壁の外側面が、配線基板１０２及び１０４における長手方向の上記一端と共通の上記仮想鉛直面上に位置付けられる。配線基板１０２及び１０４における長手方向の上記一端には、上記一端の各々を覆うよう、前壁１１０が連結部材１０６の上記底壁を介して図示しないビスなどの固着手段により固着されている。前壁１１０は、実質的に矩形平板状であり、配線基板１０２及び１０４の幅方向に細長く延びるとともに、配線基板１０２及び１０４の両外側面間の距離よりも広い幅を有しかつ配線基板１０２の幅よりも長い長手方向長さを有している。前壁１１０の長手方向両端部には、ビス止め用の穴１１０ａが形成されている（図４をも参照）。配線基板１０２の長手方向の他端部の内側面にはコネクタ１１２が配設されている。図４及び図５に示すように、前壁１１０の手前側には挿入及び引出用の取っ手１１２が配設され、前壁１１０の内側には、電話回線用のコネクタ１１４と電話用のコネクタ１１６とが配設されて、それぞれ前壁１１０に形成された開口を通して外方に露呈されている。
【００１３】
図４〜図７を参照して、シールドボックス２００は、枠本体２００Ａ（図７参照）と、配線基板２００Ｂ（図８参照）とを備えている。図７に示すように、金属板から一体に形成されている枠本体２００Ａは、相互に上下方向に間隔をおいて前後方向に平行に延在する一対の支持壁２０２及び２０４と、支持壁２０２及び２０４の前端間を支持壁２０２及び２０４に対し直角に延在する前壁２０６と、支持壁２０２及び２０４の後端間を支持壁２０２及び２０４に対し直角に延在する後壁２０８とを備えている。前壁２０６及び後壁２０８は、それぞれ支持壁２０２及び２０４の前後及び後端を越えて上方に平行にほぼ同じ長さだけ延び出している。枠本体２０は、更に、前壁２０６及び後壁２０８の上端間を支持壁２０２及び２０４に平行に延在する上壁２１０と、支持壁２０２及び２０４の幅方向の片側間を覆うとともに、前壁２０６、後壁２０８及び上壁２１０の幅方向の片側に沿って延在する片側壁２１２とを備えている。片側壁２１２は実質的に同一平面上に位置付けられている。
【００１４】
支持壁２０２及び２０４は、それぞれ実質的に矩形平板状であり、前後方向に細長く延びている。前壁２０６及び後壁２０８は、相互に前後方向に間隔をおいて上下方向に平行に延在し、かつ実質的に矩形平板状であるとともに、それぞれ上下方向に細長く延びている。前壁２０６は、後壁２０８よりも上下方向に長く、後壁２０８の下端よりも更に下方に延び出すよう形成されている。上壁２１０は、支持壁２０２の上方に間隔をおいて前後方向に平行に延在し、かつ実質的に矩形平板状であるとともに、前後方向に細長く延びている。片側壁２１２における、上下方向のほぼ中央よりも下方は、ほぼ矩形の領域を形成し、支持壁２０２及び２０４は、それぞれ片側壁２１２の該矩形の領域の上端及び下端から直角に同じ方向に向って折曲形成されている。片側壁２１２の該矩形の領域の下端から上方に延在する全領域の周縁はほぼ矩形であり、前壁２０６及び後壁２０８は、それぞれ片側壁２１２の該全領域の周縁における前縁及び後縁から直角に、支持壁２０２及び２０４が存在する内側に向って折曲形成されている。上壁２１０は、片側壁２１２の該全領域の周縁における上縁から直角に、支持壁２０２及び２０４が存在する内側に向って折曲形成されている。片側壁２１２の一部は、前壁２０６における、後壁２０８の下端よりも更に下方に延び出した部分の片側縁に沿って延在している。片側壁２１２における該矩形の領域よりも上方の領域には、前壁２０６、後壁２０８及び上壁２１０の片側に沿って延在する周縁領域を残して開口２１４が形成されている。
【００１５】
枠本体２００Ａにおける、片側壁２１２に対向する反対側は開放されているが、この開放領域は、配線基板２００Ｂ（図８参照）が装着されることにより覆われる。配線基板２００Ｂの内側には、画像形成装置２を制御するコントローラ、プリント配線、各種電気部品などが配設されている。配線基板２００Ｂの内側にはまた、配線基板ユニット１００のコネクタ１１２（図９参照）が離脱自在に連結されるコネクタ２１５が配設されている。
【００１６】
枠本体２００Ａの前壁２０６には、上述したＦＡＸ用の配線基板ユニット１００の挿入開口２１６が形成されている。図１０をも参照して、挿入開口２１６は、上端が、支持壁２０２及び２０４のうち上側に位置する支持壁２０２よりも若干上方に位置し、下端が、支持壁２０２及び２０４のうち下側に位置する支持壁２０４よりも若干下方に位置し、全体として上下方向に縦長のほぼ矩形状をなしている。挿入開口２１６の上端には、幅方向に間隔をおいて上方に延び出す一対の上溝２１６ａ及び２１６ｂが形成され、挿入開口２１６の下端には、幅方向に間隔をおいて下方に延び出す一対の下溝２１６ｃ及び２１６ｄが形成されている。上溝２１６ａ及び２１６ｂの上端は挿入開口２１６の上端を規定し、下溝２１６ｃ及び２１６ｄの下端は挿入開口２１６の下端を規定する。上溝２１６ａ及び２１６ｂと下溝２１６ｃ及び２１６ｄとは、それぞれチャンネル形状をなしている。上溝２１６ａと下溝２１６ｃ、上溝２１６ｂと下溝２１６ｄは、それぞれ上下方向に対向するよう配置されている。前壁２０６における、上溝２１６ａ及び２１６ｂ間を挿入開口２１６内に下方に突出する上中央領域２１６ｅと、下溝２１６ｃ及び２１６ｄ間を挿入開口２１６内に上方に突出する下中央領域２１６ｆとには、それぞれ、配線基板ユニット１００の前壁１１０に形成された上記２個のビス止め用の穴１１０ａに対応するビス止め用のねじ穴２０６ａが形成されている。上記上中央領域２１６ｅと下中央領域２１６ｆとの間の上下方向間隔は、上記配線基板ユニット１００における幅広の片方の配線基板１０２の幅１０２Ｌよりも小さく設定され、かつ幅の狭い他方の配線基板１０４の幅１０４Ｌよりも大きく設定されている。
【００１７】
なお、前壁２０６には、図７に示すように、ネットワークコネクタ用の開口２１８、ＵＳＢコネクタ用の開口２２０、プリンタコネクタ用の開口２２２及びメモリカード用の開口（スロット）２２４がそれぞれ形成されている。前壁２０６にはまた、開口２１８、２２０、２２２及び２２４に対応して、ネットワークコネクタ２１８Ｃ、ＵＳＢコネクタ２２０Ｃ、プリンタコネクタ２２２Ｃ及びメモリカードコネクタ（不図示）が配設されている（図４及び図５参照）。
【００１８】
図７及び図９〜図１１を参照して、支持壁２０２及び２０４の間隔は、上記配線基板ユニット１００における幅広の片方の配線基板１０２の幅１０２Ｌよりも若干大きく設定されている。支持壁２０２及び２０４には、配線基板ユニット１００が、挿入開口２１６から正しく挿入されたとき、幅広の片方の配線基板１０２の幅方向の両側部をそれぞれ受け入れて、配線基板ユニット１００が手前から後方に所定の装着位置まで移動できるよう、引き出し自在にガイドするガイド手段２３０が、それぞれ配設されている。ガイド手段２３０の各々は、支持壁２０２及び２０４における幅方向に一定の隙間をおいて内側に突出しかつ前後方向にほぼアーチ状に延在する一対の打出し部２３２が、それぞれ前後方向に間隔をおいて複数対（実施形態においてはそれぞれ３対）、直線状に配列されることにより構成されている。打出し部２３２の各々は、一定の幅を有し、相互に実質的に同じ形状及び大きさを有している。打出し部２３２の各対における該隙間は、片方の配線基板１０２の厚さよりも若干大きく設定されている。支持壁２０２の３対の打出し部２３２と、支持壁２０４の３対の打出し部２３２とは、相互に上下方向に対向する位置に配設されている。
【００１９】
支持壁２０２及び２０４の間には、配線基板ユニット１００が挿入開口２１６から誤挿入されたとき、すなわち、配線基板ユニット１００の、幅の狭い他方の配線基板１０４が、ガイド手段２３０の各々に対応する位置に位置付けられて、挿入開口２１６から誤挿入されたとき、幅広である片方の配線基板１０２の移動を阻止して配線基板ユニット１００の挿入を防止する誤挿入防止手段が配設されている。誤挿入防止手段は、配線基板ユニット１００が、幅の狭い他方の配線基板１０４の両側部がガイド手段２３０側に位置付けられて、挿入開口２１６から誤挿入されたとき、幅広である片方の配線基板１０２の移動を阻止するよう構成されている。誤挿入防止手段は、挿入開口２１６の近傍位置に配設されている。この構成は、配線基板ユニット１００が挿入開口２１６から挿入された初期の段階で、画像形成装置２の使用者あるいはサービスマンが、誤挿入であることに気付かせることを可能にする。
【００２０】
誤挿入防止手段を構成する支持壁２０２及び２０４の各々間の該間隔は、片方の支持壁２０２又は２０４のいずれかの内側に突出するよう形成された膨出部２４０の内側面と他方の支持壁２０４又は２０２の内側面との間の間隔、又は両方の支持壁２０２及び２０４に内側に突出するよう形成された膨出部２４０の内側面の各々間の間隔、により規定される。実施形態において、誤挿入防止手段を構成する支持壁２０２及び２０４の各々間の該間隔は、両方の支持壁２０２及び２０４に内側に突出するよう形成された膨出部２４０の内側面の各々間の間隔、により規定されている。片方の支持壁２０２又は２０４の膨出部２４０、又は両方の支持壁２０２及び２０４の膨出部２４０は、それぞれ内側に膨らむよう形成された絞り部からなる。この絞り部は構成が簡単であり、また絞り加工により容易に形成することができる。実施形態において、膨出部２４０は、平面がほぼ矩形で頂面が平坦に形成されている。誤挿入防止手段を構成する支持壁２０２及び２０４の各々間の該間隔（実施形態においては、両方の支持壁２０２及び２０４に形成された膨出部２４０の内側面の各々間の間隔）は、配線基板ユニット１００の、幅広の片方の配線基板１０２の幅１０２Ｌよりは狭く形成されているが、幅の狭い他方の配線基板１０４の幅１０４Ｌよりは若干広く形成されている。
【００２１】
図１０に示されているように、シールドボックス２００を前壁２０６の挿入開口２１６の手前側から後方に見た状態において、シールドボックス２００の支持壁２０２及び２０４に配設されたガイド手段２３０の全幅は、それぞれ挿入開口２１６の上溝２１６ａ及び下溝２１６ｃの幅とほぼ同じに規定され、支持壁２０２及び２０４に配設された膨出部２４０の全幅は、それぞれ上溝２１６ｂ及び下溝２１６ｄの幅よりも広く形成されている。この構成は、配線基板ユニット１００が挿入開口１０４から後述するとおりにして誤挿入されたときに、上溝２１６ｂ及び／又は下溝２１６ｄ内において幅方向に移動させられたとしても、幅広の片方の配線基板１０２が膨出部２４０に確実に当接して挿入を阻止することを可能にする。
【００２２】
図４、図１０及び図１１を参照して、静止枠体であるシールドボックス２００が装置本体４に装着された状態において、シールドボックス２００の支持壁２０２及び２０４の間に、配線基板ユニット１００が挿入開口２１６から正しく挿入されると（正しい位置で挿入されると）、幅広の片方の配線基板１０２の両側部は、それぞれシールドボックス２００の支持壁２０２及び２０４に配設されたガイド手段２３０（打ち出部２３２の各対間の隙間）に受け入れられて手前から後方に所定の装着位置まで円滑かつ確実にガイドされる。また幅の狭い他方の配線基板１０４の両側部は、それぞれシールドボックス２００の支持壁２０２及び２０４に配設された膨出部２４０の各々間を通って手前から後方に所定の装着位置まで挿入される。配線基板ユニット１００のコネクタ１１２（図９参照）は、シールドボックス２００の配線基板２００Ｂに配設されたコネクタ２１５（図８参照）に離脱自在に連結される。配線基板ユニット１００の前壁１１０は、シールドボックス２００の前壁２０６の挿入開口２１６を手前側から実質的に覆うよう前壁２０６に重合して位置付けられる（図５参照）。配線基板ユニット１００は、シールドボックス２００に対し、相互に整合されたビス止め用の穴１１０ａとビス止め用のねじ穴２０６ａとを介してビス２５０（図５参照）により離脱自在に締結される。
【００２３】
他方、シールドボックス２００の支持壁２０２及び２０４の間に、配線基板ユニット１００が挿入開口２１６から誤挿入されると、すなわち、配線基板ユニット１００の、幅の狭い他方の配線基板１０４が、ガイド手段２３０の各々に対応する位置に位置付けられて、挿入開口２１６から誤挿入されると、幅広である片方の配線基板１０２は、挿入開口２１６の上溝２１６ｂ及び下溝２１６ｄから後方に向かって挿入されるが、誤挿入防止手段である膨出部２４０の各々に当接させられてその移動が阻止されるので、配線基板ユニット１００のそれ以上の挿入が阻止される。その結果、配線基板ユニット１００を挿入しようとする画像形成装置の使用者あるいはサービスマンが誤挿入に気付かされるので、挿入しかけた配線基板ユニット１００を引き出し、再度正しい位置に挿入することができる。
【００２４】
このように本発明による配線基板ユニットの装着構造によれば、上記２枚構造の配線基板ユニット１００が、２枚の配線基板１０２及び１０４の位置が、図１０及び図１１において左右逆にされて完全に所定の装着位置まで誤挿入されることが確実に防止されるので、配線基板ユニット１００がシールドボックス２００に誤挿入されたことに気付かずに電源を投入して、配線基板ユニット１００に配設されたコネクタ１１２及びシールドボックス２００内に配設されたコネクタ２１５の連結部の故障、画像形成装置本体４の電気回路系の故障などが発生するおそれは確実に回避される。すなわち、本発明によれば、２枚構造を有する配線基板ユニット１００がシールドボックス２００などの静止枠体に誤挿入されることが確実に防止される。なお、上記配線基板ユニット１００は、ＦＡＸ用の配線基板ユニット１００であるが、他の電子機器用の配線基板ユニットであっても、本発明による上記効果は達成可能である。また、シールドボックス２００などの静止枠体は、画像形成装置２の静止枠体に限定されるものではなく、他の装置における静止枠体であっても、本発明による上記効果は達成可能である。
【図面の簡単な説明】
【００２５】
【図１】本発明に従って構成された配線基板ユニットの装着構造の実施形態を備えた画像形成装置の斜視図。
【図２】図１に示す画像形成装置を別の角度から見た斜視図。
【図３】図１に示す画像形成装置の一部を分解して、画像形成装置本体に備えられているシールドボックスの部分を拡大して示す斜視図であって、ほぼ図２と同じ方向の斜め上方から見た斜視図。
【図４】図３に示すシールドボックスにシールドボックスの挿入開口から配線基板ユニットの一部が正しく挿入された状態を示す斜視図。
【図５】図４において、シールドボックスに配線基板ユニットが所定の装着位置まで挿入されて固着された状態を示す斜視図。
【図６】図４に示すシールドボックスを斜め下方から見た斜視図。
【図７】図４に示すシールドボックスの枠本体を斜め下方から見た斜視図。
【図８】図４に示すシールドボックスの一部を構成する配線基板を示す斜視図。
【図９】図４に示す配線基板ユニットの斜視図。
【図１０】シールドボックスに配線基板ユニットが所定の装着位置まで正しく挿入された状態（図４に示す状態）において、シールドボックスの一部を挿入開口側から見た部分正面透視図であって、配線基板ユニットの一部を省略して示す部分正面透視図。
【図１１】図１０において、配線基板ユニットにおける一対の配線基板の、シールドボックスに対する相対位置関係を示す部分正面図。
【符号の説明】
【００２６】
１００：配線基板ユニット
１０２、１０４：配線基板
２００：シールドボックス
２０２、２０４：支持壁
２０６：前壁
２１６：挿入開口
２３０：ガイド手段
２４０：膨出部（誤挿入防止手段）
【図１】
2005158847.tif 000003
【図２】
2005158847.tif 000004
【図３】
2005158847.tif 000005
【図４】
2005158847.tif 000006
【図５】
2005158847.tif 000007
【図６】
2005158847.tif 000008
【図７】
2005158847.tif 000009
【図８】
2005158847.tif 000010
【図９】
2005158847.tif 000011
【図１０】
2005158847.tif 000012
【図１１】
2005158847.tif 000013